(57)【要約】【課題】低コストにて冷房運転または暖房運転に切り換え可能な個別空調を実現する冷温水変換ユニット及び空気調和システムを提供する。【解決手段】冷温水変換ユニット１０は、送水管１１２から通水される冷温水を使用して熱交換を行い、冷温水をファンコイルユニット２０へ通水する装置であり、熱交換の有無により流路の切り換えを行う三方弁１１、弁１２、第１の熱交換器１３、第２の熱交換器１４、ヒートポンプ回路１５、ポンプ１６、及び温度計１７，１８を備えている。温度計１７，１８の測定結果、ファンコイルユニット２０の設定温度、及び室内温度に基づき、室内負荷が冷房であり、冷温水が温水の場合、または室内負荷が暖房であり、冷温水が冷水の場合、熱交換を行う。これにより、個別空調を実現することが可能になる。【選択図】図１
2017180876.tif 000002
【特許請求の範囲】
【請求項１】
室内空間に設置されている二管式のファンコイルユニットと、冷水または温水である熱媒体が通水する配管との間に接続され、前記熱媒体を使用して熱交換を行い、前記熱媒体を前記ファンコイルユニットへ通水する冷温水変換ユニットであって、
前記熱媒体が温水であり、前記室内空間にて冷房運転が行われる場合、または前記熱媒体が冷水であり、前記室内空間にて暖房運転が行われる場合に前記熱媒体を使用して熱交換を行う、
ことを特徴とする冷温水変換ユニット。
【請求項２】
熱交換を行う場合、または熱交換を行わない場合に対応して前記熱媒体の流路を切り換える三方弁と、
前記配管側に配設されて前記三方弁に接続され、前記配管から前記熱媒体が通水されて熱交換を行う第１の熱交換器と、
前記ファンコイルユニット側に配設され、前記ファンコイルユニットから前記熱媒体が通水されて熱交換を行う第２の熱交換器と、
前記第１の熱交換器と、前記第２の熱交換器との間に配設されたヒートポンプ回路と、
前記ファンコイルユニットから通水される前記熱媒体を前記第２の熱交換器へ送るポンプと、を備え、
熱交換を行う場合、前記第１の熱交換器と前記ヒートポンプ回路との間で熱交換が行われるとともに、前記ヒートポンプ回路と前記第２の熱交換器との間で熱交換が行われる、
ことを特徴とする請求項１に記載の冷温水変換ユニット。
【請求項３】
前記配管から通水される熱媒体の水路と、前記ファンコイルユニットから通水される熱媒体の水路とが独立して配設され、
前記配管側に配設され、前記配管から前記熱媒体が通水されて熱交換を行う第１の熱交換器と、
前記ファンコイルユニット側に配設され、前記ファンコイルユニットから前記熱媒体が通水されて熱交換を行う第２の熱交換器と、
前記第１の熱交換器と、前記第２の熱交換器との間に配設されたヒートポンプ回路と、
前記ファンコイルユニットから通水される前記熱媒体を前記第２の熱交換器へ送るポンプと、
前記ファンコイルユニット側に配設され、前記ファンコイルユニットから通水される前記熱媒体を貯留する膨張タンクと、を備え、
熱交換を行う場合、前記第１の熱交換器と前記ヒートポンプ回路との間で熱交換が行われるとともに、前記ヒートポンプ回路と前記第２の熱交換器との間で熱交換が行われる、
ことを特徴とする請求項１に記載の冷温水変換ユニット。
【請求項４】
請求項１ないし３のいずれか１項に記載の冷温水変換ユニットと、
前記ファンコイルユニットと、
を備えたことを特徴とする空気調和システム。
【発明の詳細な説明】
【技術分野】
【０００１】
本発明は、室内空間に設置されたファンコイルユニットに接続される冷温水変換ユニット及び空気調和システムに関する。
【背景技術】
【０００２】
高層ビルのような建造物のうち、ホテルや病院のように、個別に部屋が仕切られているような施設の空気調和設備では、以下のような課題があった。
【０００３】
高層ビルのような建造物における空気調和設備では、チラー等から生成される冷水により熱交換が行われて冷房運転が行われ、ボイラ装置から通水される温水により熱交換が行われて暖房運転が行われている。これらの熱交換は、各部屋に配設されているファンコイルユニットにより行われている。しかし、従来の空気調和設備では、その建造物全体で冷房運転または暖房運転のいずれか一方しか選択できない構成であり、各部屋で冷房運転または暖房運転の選択が出来ない構成になっていた。
【０００４】
図６は、例えば、ホテルのような建造物において、パイプシャフト１０１及び客室１０２における空気調和設備の例を示す機器配置系統図である。パイプシャフト１０１は、配管設備が収容されているバックヤードであり、チラーや冷温水発生器またはボイラ装置から熱媒体である冷温水を通水するための送配管１１１と、送配管１１１から後述するファンコイルユニット２０へ通水するための送水管１１２と、ファンコイルユニット２０から冷温水を配管側へ通水する還水管１１４と、チラーや冷温水発生器またはボイラ装置へ冷温水を通水するための還配管１１６とが収容されている。また、送水管１１２には通水を制御する弁１１３が、還水管１１４には通水を制御する弁１１５が配設されている。客室１０２には、冷暖房設備であるファンコイルユニット２０が配設されている。ファンコイルユニット２０は、熱交換器２１と、ファン２２と、通風口２３，２４とを備えている。熱交換器２１は、送水管１１２から通水された冷温水と客室１０２内の空気との間で熱交換を行う装置である。ファン２２は、熱交換器２１にて熱交換された空気を客室１０２内に送風する装置である。通風口２３，２４は、熱交換器２１との間で熱交換を行う空気の入口であり、ファン２２から送風される空気の出口である。
【０００５】
このようなファンコイルユニット２０は、送水管１１２及び還水管１１４の２本の配管が配設されている（二管式ファンコイルユニット）が、この送水管１１２に通水する水を冷水にするか温水にするかは建造物全体で決めなければならず、一般には、所定の時期は冷水（冷房運転のみ）、その他の時期は温水（暖房運転のみ）というように運用されている。このように、ファンコイルユニット１１２では、冷水または温水のどちらを通水させるか切り替えることは出来ない構造になっていた。そのため、例えばホテルのように不特定多数の者が各部屋に宿泊する建造物の場合、各部屋で希望する室温は様々であり、不満が大きかった。
【０００６】
このような課題を解決するため、各ファンコイルユニットに、チラー等から冷水が通水される送水管及び還水管と、ボイラ装置等から温水が通水される送水管及び還水管との４本の配管が配設されている四管式ファンコイルユニットが提供されている。しかしながら、既存の建造物にこのファンコイルユニットを配設する場合、各部屋への配管設備そのものを増設する必要があり、非常に大規模な改修工事が必要であるため、設備コストが大きいものであった。また、チラーやボイラ装置などを常時稼働させる必要があるため、維持コストも大きいものであった。
【０００７】
そのため、冷温水と空気との間で熱交換を行う熱交換器を備えたヒートポンプが設けられている空気調和機内に，冷温水が通水するファンコイルを設置して，熱交換器またはファンコイルのいずれか一方だけに冷温水を通水する回路と、両者ともに通水する回路とが切換可能である空気調和機ユニットが知られている（例えば、特許文献１参照。）。この空気調和機ユニットは、二管式ファンコイルユニットであっても、回路の切換により個別空調を実現するものである。
【先行技術文献】
【特許文献】
【０００８】
【特許文献１】特開平０５−１１８５９５号公報
【発明の概要】
【発明が解決しようとする課題】
【０００９】
しかしながら、特許文献１に記載の空気調和機ユニットは、ヒートポンプ及びファンコイルの両方を稼働させるハイブリッド方式であるため、四管式ファンコイルユニットほどではなくとも、維持コストが大きいものであった。
【００１０】
そこで本発明は、二管式ファンコイルユニットに接続可能であり、低コストにて冷房運転または暖房運転に切り換え可能な個別空調を実現する冷温水変換ユニット及び空気調和システムを提供することを目的とする。
【課題を解決するための手段】
【００１１】
上記課題を解決するために、請求項１に記載の発明は、室内空間に設置されている二管式のファンコイルユニットと、冷水または温水である熱媒体が通水する配管との間に接続され、前記熱媒体を使用して熱交換を行い、前記熱媒体を前記ファンコイルユニットへ通水する冷温水変換ユニットであって、前記熱媒体が温水であり、前記室内空間にて冷房運転が行われる場合、または前記熱媒体が冷水であり、前記室内空間にて暖房運転が行われる場合に前記熱媒体を使用して熱交換を行う、ことを特徴とする。
【００１２】
この発明によれば、室内にて冷房運転が行われているが熱媒体が温水である場合、または、室内にて暖房運転が行われているが熱媒体が冷水である場合、熱媒体を使用して熱交換を行う。
【００１３】
請求項２に記載の発明は、請求項１に記載の冷温水変換ユニットにおいて、熱交換を行う場合、または熱交換を行わない場合に対応して前記熱媒体の流路を切り換える三方弁と、前記配管側に配設されて前記三方弁に接続され、前記配管から前記熱媒体が通水されて熱交換を行う第１の熱交換器と、前記ファンコイルユニット側に配設され、前記ファンコイルユニットから前記熱媒体が通水されて熱交換を行う第２の熱交換器と、前記第１の熱交換器と、前記第２の熱交換器との間に配設されたヒートポンプ回路と、前記ファンコイルユニットから通水される前記熱媒体を前記第２の熱交換器へ送るポンプと、を備え、熱交換を行う場合、前記第１の熱交換器と前記ヒートポンプ回路との間で熱交換が行われるとともに、前記ヒートポンプ回路と前記第２の熱交換器との間で熱交換が行われる、ことを特徴とする。
【００１４】
請求項３に記載の発明は、請求項１に記載の冷温水変換ユニットにおいて、前記配管から通水される熱媒体の水路と、前記ファンコイルユニットから通水される熱媒体の水路とが独立して配設され、前記配管側に配設され、前記配管から前記熱媒体が通水されて熱交換を行う第１の熱交換器と、前記ファンコイルユニット側に配設され、前記ファンコイルユニットから前記熱媒体が通水されて熱交換を行う第２の熱交換器と、前記第１の熱交換器と、前記第２の熱交換器との間に配設されたヒートポンプ回路と、前記ファンコイルユニットから通水される前記熱媒体を前記第２の熱交換器へ送るポンプと、前記ファンコイルユニット側に配設され、前記ファンコイルユニットから通水される前記熱媒体を貯留する膨張タンクと、を備え、熱交換を行う場合、前記第１の熱交換器と前記ヒートポンプ回路との間で熱交換が行われるとともに、前記ヒートポンプ回路と前記第２の熱交換器との間で熱交換が行われる、ことを特徴とする。
【００１５】
請求項４記載の発明は、請求項１ないし３のいずれか１項に記載の冷温水変換ユニットと、前記ファンコイルユニットと、を備えたことを特徴とする空気調和システムである。
【発明の効果】
【００１６】
請求項１及び４記載の発明によれば、室内にて冷房運転が行われているが熱媒体が温水である場合、または、室内にて暖房運転が行われているが熱媒体が冷水である場合、熱媒体を使用して熱交換を行うので、冷房運転または暖房運転を個別に切り換えることができる。これにより、二管式ファンコイルユニットに接続する冷温水変換ユニットであっても、個別空調を実現することが可能になる。
【００１７】
請求項２記載の発明によれば、熱交換を行う場合または熱交換を行わない場合に対応して、熱媒体の流路を切り換える三方弁を備えたことにより、熱交換を行う場合は熱媒体を第１の熱交換器へ通水させて熱交換を行い、熱交換を行わない場合は熱媒体をファンコイルユニットへ通水させることができる。そのため、ヒートポンプ回路及びポンプは熱交換を行う場合のみ動作するので、維持コストを低減させることができ、低コストにて冷房運転または暖房運転を切り換え可能な個別空調を実現することが可能になる。また、ファンコイルユニットに接続して使用される冷温水変換ユニットにて実現するので、室内空間に設置されているファンコイルユニットには影響しないため、室内の工事は不要となり、設備コストを低減させることが可能になる。
【００１８】
請求項３記載の発明によれば、配管から通水される熱媒体の水路と、ファンコイルユニットから通水される熱媒体の水路とが独立して配設されているので、背圧の負荷を低減させることができる。そのため、高層ビルのように背圧が高い場合であっても本発明を適用することができるので、冷房運転または暖房運転を選択可能な個別空調を実現することが可能になる。また、ファンコイルユニットに接続して使用される冷温水変換ユニットにて実現するので、室内空間に設置されているファンコイルユニットには影響しないため、室内の工事は不要となり、設備コストを低減させることが可能になる。
【図面の簡単な説明】
【００１９】
【図１】この発明の実施の形態１に係る空気調和システム１の概略を示す機器配置系統図である。
【図２】図１の冷温水変換ユニット１０を図６のパイプシャフト１０１に配設した状態を示す機器配置系統図である。
【図３】図１の冷温水変換ユニット１０の制御例を示す一覧表である。
【図４】この発明の実施の形態２に係る空気調和システム１Ａの概略を示す機器配置系統図である。
【図５】図４の冷温水変換ユニット３０を図６のパイプシャフト１０１に配設した状態を示す機器配置系統図である。
【図６】建造物のパイプシャフト１０１及び客室１０２における従来の空気調和設備の例を示す機器配置系統図である。
【発明を実施するための形態】
【００２０】
以下、この発明を図示の実施の形態に基づいて説明する。
【００２１】
（実施の形態１）
図１ないし図３は、この発明の実施の形態１に係る空気調和システム１を示し、図１は、空気調和システム１の概略を示す機器配置系統図であり、図２は、図１の冷温水変換ユニット１０を図６のパイプシャフト１０１に配設した状態を示す機器配置系統図である。この空気調和システム１は、ホテルのような建造物の客室に配設されている空気調和設備であり、冷温水変換ユニット１０と、ファンコイルユニット２０とから構成され、送水管１１２及び還水管１１４により接続されている。また、送水管１１２及び還水管１１４は、図２に示すように、送配管（配管）１１１及び還配管（配管）１１６に接続されている。なお、ファンコイルユニット２０の構成は図６に示すファンコイルユニット２０と同様であるため、その構成についての説明を省略する。
【００２２】
図１に示す冷温水変換ユニット１０は、送配管１１１から送水管１１２を経由して通水される熱媒体としての冷温水を使用して熱交換を行い、冷温水をファンコイルユニット２０へ通水する装置であり、三方弁１１と、弁１２と、第１の熱交換器１３と、第２の熱交換器１４と、ヒートポンプ回路１５と、ポンプ１６と、温度計１７，１８とを備えている。
【００２３】
三方弁１１は、冷温水をファンコイルユニット２０へ通水するか、または第１の熱交換器１３へ通水するかを切り換える弁である。弁１２は、三方弁１１の状態に合わせて、三方弁１１から通水される冷温水または第２の熱交換器１４から通水される冷温水をファンコイルユニット２０へ通水するための弁である。すなわち、三方弁１１が冷温水をファンコイルユニット２０へ通水させる場合、冷温水が第２の熱交換器１４の方向へ流れないようにするため、弁１２は閉じられ、三方弁１１が冷温水を第１の熱交換器１３へ通水させる場合、第２の熱交換器１４から冷温水をファンコイルユニット２０へ通水させるため、弁１２は開かれる。
【００２４】
第１の熱交換器１３は、送水管１１２から通水される冷温水と、ヒートポンプ回路１５と熱交換を行うための装置である。第２の熱交換器１４は、ファンコイルユニット２０から通水される冷温水と、ヒートポンプ回路１５と熱交換を行うための装置である。この第１の熱交換器１３及び第２の熱交換器１４は、例えば、プレート式熱交換器にて構成されている。ヒートポンプ回路１５は、第１の熱交換器１３及び第２の熱交換器１４との間で冷媒と冷却水を熱交換するために、空気を圧縮して高温化する装置である。このヒートポンプ回路１５は、図２に示す四方弁１５１と、コンプレッサ１５２と、膨張弁１５３とにより構成されている。
【００２５】
ポンプ１６は、ファンコイルユニット２０から通水される冷温水を第２の熱交換器１４へ送るための動力源であり、これは、第２の熱交換器１４とファンコイルユニット２０との間を冷温水が循環する場合、圧力が発生しないため、冷温水が循環させるために必要になるものである。
【００２６】
温度計１７，１８は、送水管１１２を通水する冷温水の温度を測定するための装置であり、後述するように、冷温水変換ユニット１０の各装置を制御するための装置である。温度計１７は、送水管１１２の入口付近（三方弁１１の手前）に設置され、温度計１８は、送水管１１２の出口付近（ファンコイルユニット２０の手前）に設置されている。
【００２７】
次に、このような空気調和システム１の動作等について説明する。
【００２８】
図３は、図１の冷温水変換ユニット１０の制御例を示す一覧表である。この表において熱源が「冷水」「温水」のいずれであるかの判定は、温度計１７の測定結果が所定温度以下であれば「冷水」と判定し、それ以上であれば「温水」と判定する。なお、「フリークーリング冷水」「循環ポンプのみ」については後述する。また、室内負荷が「冷房（冷房運転）」「暖房（暖房運転）」のいずれであるかの判定は、例えば、ファンコイルユニット２０の設定温度と客室１０２の室内温度の測定結果から、偏差を算出してその偏差により判定する。その他の方法として、ファンコイルユニット２０に「冷房」「暖房」と指定可能なスイッチ等が設けられていれば、その状態で判定しても良い。
【００２９】
熱源が「冷水」の場合であって、室内負荷が「冷房」の場合、三方弁１１は「直通」、すなわち送水管１１２から直接ファンコイルユニット２０へ冷温水を通水するようにする。このとき、送配管１１１から送水管１１２を経由して通水される冷温水によって、ファンコイルユニット２０にて熱交換が行われて冷房運転の状態になる。そのため、第１の熱交換器１３及び第２の熱交換器１４にて熱交換は行わないので、コンプレッサ１５２及びポンプ１６を動作させる必要はないため、コンプレッサ１５２及びポンプ１６の動作状態は「停止」となっている。
【００３０】
熱源が「冷水」の場合であって、室内負荷が「暖房」の場合、三方弁１１は「バイパス」、すなわち送水管１１２から第１の熱交換器１３へ冷温水を通水するようにする。このとき、第１の熱交換器１３及び第２の熱交換器１４にて熱交換が行なわれ、熱交換されて温水の状態である冷温水が第２の熱交換器１４から弁１２を経由してファンコイルユニット２０へ通水される。その後、ファンコイルユニット２０にて熱交換が行われて暖房運転の状態になる。このとき、ファンコイルユニット２０の設定温度によりコンプレッサ１５２の動作状態を制御する必要があるので、コンプレッサ１５２の動作状態は「温水温度制御」となっている。このときの温度制御は、温度計１８の測定結果に基づいて行われる。また、第２の熱交換器１４からファンコイルユニット２０へ冷温水を通水させる必要があるので、ポンプ１６の動作状態は「運転」となっている。
【００３１】
熱源が「温水」の場合であって、室内負荷が「冷房」の場合、三方弁１１は「バイパス」、すなわち送水管１１２から第１の熱交換器１３へ冷温水を通水するようにする。このとき、第１の熱交換器１３及び第２の熱交換器１４にて熱交換が行なわれ、熱交換されて冷水の状態である冷温水が第２の熱交換器１４から弁１２を経由してファンコイルユニット２０へ通水される。その後、ファンコイルユニット２０にて熱交換が行われて冷房運転の状態になる。このとき、ファンコイルユニット２０の設定温度によりコンプレッサ１５２の動作状態を制御する必要があるので、コンプレッサ１５２の動作状態は「冷水温度制御」となっている。このときの温度制御は、温度計１８の測定結果に基づいて行われる。また、第２の熱交換器１４からファンコイルユニット２０へ冷温水を通水させる必要があるので、ポンプ１６の動作状態は「運転」となっている。
【００３２】
熱源が「温水」の場合であって、室内負荷が「暖房」の場合、三方弁１１は「直通」、すなわち送水管１１２から直接ファンコイルユニット２０へ冷温水を通水するようにする。このとき、送配管１１１から送水管１１２を経由して通水される冷温水によって、ファンコイルユニット２０にて熱交換が行われて暖房運転の状態になる。そのため、第１の熱交換器１３及び第２の熱交換器１４にて熱交換は行わないので、コンプレッサ１５２及びポンプ１６を動作させる必要はないため、コンプレッサ１５２及びポンプ１６の動作状態は「停止」となっている。
【００３３】
なお、熱源が「フリークーリング冷水」の状態とは、室温より外気温が低い場合に密閉式冷却塔などを使用して直接冷水を送配管１１１に通水させる状態である。この場合、熱源が「冷水」の場合と同様の制御が行われる。また、熱源が「循環ポンプのみ」の状態とは、温度計１７の測定結果から熱源の判定を行わない場合であって、この場合は、常時第１の熱交換器１３及び第２の熱交換器１４による熱交換が行われるので、三方弁１１は「バイパス」、コンプレッサ１５２の動作状態は、室内負荷が「冷房」のときは「冷水温度制御」、「暖房」のときは「温水温度制御」となり、ポンプ１６の動作状態は「運転」となっている。
【００３４】
以上のように、この空気調和システム１によれば、二管式ファンコイルユニットであるファンコイルユニット２０に接続され、温度計１７により測定された送水管１１２を通水する冷温水が「冷水」の場合であって、客室１０２の室内負荷が「暖房」の場合、または、送水管１１２を通水する冷温水が「温水」の場合であって、客室１０２の室内負荷が「冷房」の場合、第１の熱交換器１３及び第２の熱交換器１４にて熱交換が行なわれるため、個別空調を実現することが可能になる。また、熱交換器１３及び第２の熱交換器１４にて熱交換が行われる場合のみコンプレッサ１５２とポンプ１６が動作するので、維持コストを低減させることが可能になる。
【００３５】
また、冷温水変換ユニット１０はパイプシャフト１０１に配設されているため、客室１０２に設置されているファンコイルユニット２０には影響しないため、客室１０２内の工事は不要となり、設備コストを低減させることが可能になる。
【００３６】
（実施の形態２）
図４及び図５は、この発明の実施の形態２に係る空気調和システム１Ａを示し、図４は、空気調和システム１Ａの概略を示す機器配置系統図であり、図５は、図４の冷温水変換ユニット３０を図６のパイプシャフト１０１に配設した状態を示す機器配置系統図である。この空気調和システム１Ａは、冷温水変換ユニット３０を備えている点において、実施の形態１と異なる。冷温水変換ユニット３０には、送水管１１２から還水管１１４へ通水される経路と独立して、送水管１１２ａ及び還水管１１４ａが配設され、ファンコイルユニット２０から送水管１１２ａ、及び還水管１１４ａへ通水される経路が形成されている。
【００３７】
図４に示す冷温水変換ユニット３０は、送水管１１２から還水管１１４へ通水される冷温水と、送水管１１２ａから還水管１１４ａへ通水される冷温水との間で熱交換を行い、冷温水をファンコイルユニット２０へ通水する装置であり、第１の熱交換器３１と、第２の熱交換器３２と、ヒートポンプ回路３３と、ポンプ３４と、膨張タンク３５と、温度計３６，３７とを備えている。なお、第１の熱交換器３１、第２の熱交換器３２、ヒートポンプ回路３３、ポンプ３４、及び温度計３６，３７は、実施の形態１に係る第１の熱交換器１３、第２の熱交換器１４、ヒートポンプ回路１５、ポンプ１６、及び温度計１７，１８と同様である。
【００３８】
第１の熱交換器３１は、送水管１１２から通水される冷温水と、ヒートポンプ回路３３と熱交換を行うための装置である。第２の熱交換器３２は、ファンコイルユニット２０から通水される冷温水と、ヒートポンプ回路１５と熱交換を行うための装置である。ヒートポンプ回路３３は、第１の熱交換器３１及び第２の熱交換器３２との間で冷媒と冷却水を熱交換するために、空気を圧縮して高温化する装置である。このヒートポンプ回路３３は、図５に示す四方弁３３１と、コンプレッサ３３２と、膨張弁３３３とにより構成されている。ポンプ３４は、ファンコイルユニット２０から通水される冷温水を第２の熱交換器３２へ送るための動力源である。
【００３９】
膨張タンク３５は、送水管１１２から還水管１１４へ通水される経路と、送水管１１２ａから還水管１１４ａへ通水される経路とが独立しているため、冷温水を貯留する必要があるために配設されているものである。
【００４０】
温度計３６，３７は、送水管１１２及び送水管１１２ａを通水する冷温水の温度を測定するための装置であり、後述するように、冷温水変換ユニット３０の各装置を制御するための装置である。温度計３６は、送水管１１２の入口付近に設置され、温度計３７は、送水管１１２ａの入口付近に設置されている。
【００４１】
次に、このような空気調和システム１Ａの動作等について説明する。
【００４２】
ファンコイルユニット２０の設定温度と客室１０２の室内温度の測定結果から、偏差を算出してその偏差により、室内負荷を「冷房」または「暖房」にするか判定する。また、温度計３６の測定結果と、温度計３７の測定結果から、偏差を算出してその偏差により、送水管１１２ａから還水管１１４ａへ通水される経路の冷温水の温度を上昇させるか、または降下させるかを判定する。この判定結果により、コンプレッサ３３２の動作状態を制御する。なお、ポンプ３４は、常時運転している。これにより、ファンコイルユニット２０の設定温度に対応する動作状態にすることができる。
【００４３】
以上のように、この空気調和システム１Ａによれば、送水管１１２から還水管１１４へ通水される経路と、送水管１１２ａから還水管１１４ａへ通水される経路とが独立しているため、背圧の負荷を低減させることができる。そのため、高層ビルのように背圧が高い場合であっても適用することができるので、冷房運転または暖房運転を選択可能な個別空調を実現することが可能になる。
【００４４】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、第１の熱交換器１３，第２の熱交換器１４，第１の熱交換器３１，及び第２の熱交換器１４をプレート式熱交換器にて構成したが、他の熱交換器にしても良い。
【符号の説明】
【００４５】
１                                        空気調和システム
１０，３０                                冷温水変換ユニット
１１                                      三方弁
１３                                      第１の熱交換器
１４                                      第２の熱交換器
１５                                      ヒートポンプ回路
１６                                      ポンプ
２０                                      ファンコイルユニット
３１                                      第１の熱交換器
３２                                      第２の熱交換器
３３                                      ヒートポンプ回路
３４                                      ポンプ
３５                                      膨張タンク
１１１                                    送配管（配管）
１１２                                    送水管
１１４                                    還水管
１１６                                    還配管（配管）
【図１】
2017180876.tif 000003
【図２】
2017180876.tif 000004
【図３】
2017180876.tif 000005
【図４】
2017180876.tif 000006
【図５】
2017180876.tif 000007
【図６】
2017180876.tif 000008